【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
画像記憶装置から表示装置に送信された画像を、該表示装置のディスプレイに表示する画像表示方法であって、
前記画像記憶装置が記憶する複数の画像を、前記画像記憶装置から前記表示装置に送信する第１の送信ステップと、
前記第１の送信ステップで送信された複数の画像を、前記表示装置内の記憶部に記録する記録ステップと、
前記画像記憶装置に設けられた操作部をユーザが操作することによって、前記画像記憶装置が記憶する前記複数の画像の中から選択された画像を示す選択情報を、前記画像記憶装置から前記表示装置に送信する第２の送信ステップと、
前記第２の送信ステップで送信された前記選択情報に基づいて、前記記録ステップで前記表示装置内の記憶部に記録された前記複数の画像の中から前記選択された画像を読み出して、前記表示装置のディスプレイに表示する表示ステップと、
前記画像記憶装置で検出される前記画像記憶装置の動きを表す位置情報を前記画像記憶装置から前記表示装置に送信する第３の送信ステップと、
前記第３の送信ステップで送信される前記位置情報に基づいて、前記画像記憶装置の位置が移動したことに応じて、前記表示装置のディスプレイに表示されている前記選択された画像の表示位置を移動させる制御を行う表示制御ステップと、
を有することを特徴とする画像表示方法。
【請求項２】
前記表示装置のディスプレイに前記選択された画像である第１の画像が表示された状態において、前記画像記憶装置に設けられた操作部をユーザが操作することによって、前記画像記憶装置が記憶する前記複数の画像の中から前記第１の画像とは異なる第２の画像が選択された場合に、
前記第２の送信ステップでは、前記画像記憶装置が記憶する前記複数の画像の中から選択された前記第２の画像を示す選択情報を、前記画像記憶装置から前記表示装置に送信し、
前記表示ステップでは、前記第２の送信ステップで送信された前記第２の画像を示す選択情報に基づいて、前記記録ステップで前記表示装置内の記憶部に記録された前記複数の画像の中から前記第２の画像を読み出して、前記第１の画像が表示されている前記表示装置のディスプレイに、前記第２の画像を更に表示し、
前記表示制御ステップでは、前記第３の送信ステップで送信される前記位置情報に基づいて、前記画像記憶装置の位置が移動したことに応じて、前記表示装置のディスプレイに表示されている前記第２の画像の表示位置を移動させる制御を行う
ことを特徴とする請求項１に記載の画像表示方法。
【請求項３】
前記表示装置のディスプレイに前記第１の画像と前記２の画像とが互いに重なる位置に表示されている場合、
前記表示制御ステップでは、前記第３の送信ステップで送信される前記位置情報に基づいて、前記画像記憶装置の位置が前記表示装置に近づく方向に移動したことに応じて、前記第２の画像が前記第１の画像よりも下側になるように重なり関係を制御し、前記画像記憶装置の位置が前記表示装置から遠ざかる方向に移動したことに応じて、前記第２の画像が前記第１の画像よりも上側になるように重なり関係を制御する
ことを特徴とする請求項２に記載の画像表示方法。
【請求項４】
第３の送信ステップでは、前記画像記憶装置に設けられた加速度センサによって検出される前記画像記憶装置の移動方向、単位時間あたりの移動量、および回転角度の情報を、前記位置情報として、前記画像記憶装置から前記表示装置に送信する
ことを特徴とする請求項１〜３のいずれか１項に記載の画像表示方法。
【請求項５】
請求項１〜４のいずれか１項に記載の画像表示方法の各ステップをコンピュータに実行させるためのプログラムコードを有する、コンピュータで実行可能なプログラム。
【請求項６】
画像記憶装置から送信された画像を表示可能なディスプレイを備える表示装置であって、
前記画像記憶装置が記憶する複数の画像を、前記画像記憶装置から取得する第１の取得手段と、
前記第１の取得手段で取得された複数の画像を、前記表示装置内の記憶部に記録する記録手段と、
前記画像記憶装置に設けられた操作部をユーザが操作することによって前記画像記憶装置から送信される選択情報であって、前記画像記憶装置が記憶する前記複数の画像の中から選択された画像を示す選択情報を取得する第２の取得手段と、
前記第２の取得手段で取得された前記選択情報に基づいて、前記記録手段で前記表示装置内の記憶部に記録された前記複数の画像の中から前記選択された画像を読み出して、前記表示装置のディスプレイに表示する表示手段と、
前記画像記憶装置で検出される前記画像記憶装置の動きを表す位置情報を前記画像記憶装置から取得する第３の取得手段と、
前記第３の取得手段で取得される前記位置情報に基づいて、前記画像記憶装置の位置が移動したことに応じて、前記表示装置のディスプレイに表示されている前記選択された画像の表示位置を移動させる制御を行う表示制御手段と、
を有することを特徴とするディスプレイを備える表示装置。
【請求項７】
前記表示装置のディスプレイに前記選択された画像である第１の画像が表示された状態において、前記画像記憶装置に設けられた操作部をユーザが操作することによって、前記画像記憶装置が記憶する前記複数の画像の中から前記第１の画像とは異なる第２の画像が選択された場合に、
前記第２の取得手段は、前記画像記憶装置が記憶する前記複数の画像の中から選択された前記第２の画像を示す選択情報を、前記画像記憶装置から取得し、
前記表示手段は、前記第２の取得手段で取得された前記第２の画像を示す選択情報に基づいて、前記記録手段で前記表示装置内の記憶部に記録された前記複数の画像の中から前記第２の画像を読み出して、前記第１の画像が表示されている前記表示装置のディスプレ
イに、前記第２の画像を更に表示し、
前記表示制御手段は、前記第３の取得手段で取得される前記位置情報に基づいて、前記画像記憶装置の位置が移動したことに応じて、前記表示装置のディスプレイに表示されている前記第２の画像の表示位置を移動させる制御を行う
ことを特徴とする請求項６に記載のディスプレイを備える表示装置。
【請求項８】
前記表示装置のディスプレイに前記第１の画像と前記２の画像とが互いに重なる位置に表示されている場合、
前記表示制御手段は、前記第３の取得手段で取得される前記位置情報に基づいて、前記画像記憶装置の位置が前記表示装置に近づく方向に移動したことに応じて、前記第２の画像が前記第１の画像よりも下側になるように重なり関係を制御し、前記画像記憶装置の位置が前記表示装置から遠ざかる方向に移動したことに応じて、前記第２の画像が前記第１の画像よりも上側になるように重なり関係を制御する
ことを特徴とする請求項７に記載のディスプレイを備える表示装置。
【請求項９】
第３の取得手段は、前記画像記憶装置に設けられた加速度センサによって検出される前記画像記憶装置の移動方向、単位時間あたりの移動量、および回転角度の情報を、前記位置情報として、前記画像記憶装置から取得する
ことを特徴とする請求項６〜８のいずれか１項に記載のディスプレイを備える表示装置。
【手続補正２】
【補正対象書類名】明細書
【補正対象項目名】発明の名称
【補正方法】変更
【補正の内容】
【発明の名称】画像表示方法、プログラム、及び、ディスプレイを備える表示装置
【手続補正３】
【補正対象書類名】明細書
【補正対象項目名】０００１
【補正方法】変更
【補正の内容】
【０００１】
本発明は、画像表示方法、プログラム、及び、ディスプレイを備える表示装置に関するものである。
【手続補正４】
【補正対象書類名】明細書
【補正対象項目名】００１１
【補正方法】変更
【補正の内容】
【００１１】
すなわち、本発明の画像表示方法は、
画像記憶装置から表示装置に送信された画像を、該表示装置のディスプレイに表示する画像表示方法であって、
前記画像記憶装置が記憶する複数の画像を、前記画像記憶装置から前記表示装置に送信する第１の送信ステップと、
前記第１の送信ステップで送信された複数の画像を、前記表示装置内の記憶部に記録する記録ステップと、
前記画像記憶装置に設けられた操作部をユーザが操作することによって、前記画像記憶
装置が記憶する前記複数の画像の中から選択された画像を示す選択情報を、前記画像記憶装置から前記表示装置に送信する第２の送信ステップと、
前記第２の送信ステップで送信された前記選択情報に基づいて、前記記録ステップで前記表示装置内の記憶部に記録された前記複数の画像の中から前記選択された画像を読み出して、前記表示装置のディスプレイに表示する表示ステップと、
前記画像記憶装置で検出される前記画像記憶装置の動きを表す位置情報を前記画像記憶装置から前記表示装置に送信する第３の送信ステップと、
前記第３の送信ステップで送信される前記位置情報に基づいて、前記画像記憶装置の位置が移動したことに応じて、前記表示装置のディスプレイに表示されている前記選択された画像の表示位置を移動させる制御を行う表示制御ステップと、
を有することを特徴とする。
また、本発明のプログラムは、画像表示方法の各ステップをコンピュータに実行させるためのプログラムコードを有する、コンピュータで実行可能なプログラムである。
また、本発明のディスプレイを備える表示装置は、
画像記憶装置から送信された画像を表示可能なディスプレイを備える表示装置であって、
前記画像記憶装置が記憶する複数の画像を、前記画像記憶装置から取得する第１の取得手段と、
前記第１の取得手段で取得された複数の画像を、前記表示装置内の記憶部に記録する記録手段と、
前記画像記憶装置に設けられた操作部をユーザが操作することによって前記画像記憶装置から送信される選択情報であって、前記画像記憶装置が記憶する前記複数の画像の中から選択された画像を示す選択情報を取得する第２の取得手段と、
前記第２の取得手段で取得された前記選択情報に基づいて、前記記録手段で前記表示装置内の記憶部に記録された前記複数の画像の中から前記選択された画像を読み出して、前記表示装置のディスプレイに表示する表示手段と、
前記画像記憶装置で検出される前記画像記憶装置の動きを表す位置情報を前記画像記憶装置から取得する第３の取得手段と、
前記第３の取得手段で取得される前記位置情報に基づいて、前記画像記憶装置の位置が移動したことに応じて、前記表示装置のディスプレイに表示されている前記選択された画像の表示位置を移動させる制御を行う表示制御手段と、
を有することを特徴とする。